(57)【要約】      （修正有）【課題】始動口又は始動レバーなどのスイッチと主基板との間の情報伝達経路に不正基板を接続することを困難とする。【解決手段】普通図柄作動スイッチ１７ａ及び／又は特別図柄始動スイッチ１８ａの出力コネクタの抜き差しを規制する規制部材、中継基板５９の入力用コネクタ及び出力用コネクタの抜き差しを規制する規制部材、主制御装置５０の入力用コネクタの抜き差しを規制する規制部材をそれぞれ配置し、普通図柄作動スイッチ１７ａ−中継基板５９間、特別図柄始動スイッチ１８ａ−中継基板５９間、中継基板５９−主制御装置５０間、の全ての情報伝達経路上の配線のコネクタの抜き差しを規制する構成とする。【選択図】図４
2008068031.tif 000002
【特許請求の範囲】
【請求項１】
遊技を司る主基板と、
該主基板における判定用乱数の抽出契機となる始動スイッチと、
を備えた遊技機において、
前記始動スイッチに前記検出信号を前記中継基板へと出力する信号出力コネクタを、
前記主基板に前記信号出力コネクタからの出力信号が入力される信号入力コネクタを、各々備え、
前記信号出力コネクタの抜き差しを規制する規制手段１及び前記信号入力コネクタの抜き差しを規制する規制手段２を設け、
前記規制手段１又は前記規制手段２を破壊することによって前記信号出力コネクタ又は前記信号入力コネクタの抜き差しを可能とすることを特徴とする遊技機。
【請求項２】
前記始動スイッチから前記検出信号が入力される信号中継コネクタ１及び前記始動スイッチから前記検出信号を変化させることなく前記信号入力コネクタへと出力する信号中継コネクタ２を備える中継基板を設置し、
前記信号中継コネクタ１の抜き差しを規制する規制手段３を設け、
前記前記規制手段３を破壊することによって前記信号中継コネクタ１の抜き差しを可能とすることを特徴とする請求項１記載の遊技機。
【請求項３】
前記信号中継コネクタ２の抜き差しを規制する規制手段４を設け、
前記前記規制手段４を破壊することによって前記信号中継コネクタ２の抜き差しを可能とすることを特徴とする請求項２記載の遊技機。
【発明の詳細な説明】
【技術分野】
【０００１】
本発明は、スイッチの検出を判定用乱数の抽出契機とする遊技機に関する。
【背景技術】
【０００２】
従来、弾球遊技機及び回胴遊技機においては、始動口又は始動レバーなどのスイッチからの検出がなされた際に主基板によって判定用乱数を抽出する構成であり、この判定用乱数によって所謂大当たりやボーナスといった当たりを生起させるか否か又は生起可能な状態とするか否かを主基板が判定するように構成されている。
【０００３】
そのため、不正行為が、主基板のＲＯＭを不正なＲＯＭと交換する不正や、主基板を不正な主基板と交換する不正や、主基板が収納された基板ケースを不正な主基板が収納された基板ケースと交換する不正など、遊技を司る主基板に集中しているのも事実である。
それに伴って近年、各種信号又はコマンドを主基板に入力又は主基板から出力するコネクタを抜き差しできないように構成した発明もなされている。
【特許文献１】特開２００６−２１２０６３号公報
【発明の開示】
【発明が解決しようとする課題】
【０００４】
しかし、最近は、始動口又は始動レバーなどのスイッチと主基板との間の情報伝達経路に不正基板を接続して、主基板によって当たりと判定される判定用乱数が抽出されるタイミングで始動口又は始動レバーなどのスイッチからの検出がなされるようにする不正行為が行われていることもあり、主基板のみに不正対策を厳重に施しても対処できないようになっていた。
【０００５】
そこで、不正行為の痕跡を残すことなく、始動口又は始動レバーなどのスイッチと主基板との間の情報伝達経路に不正基板を接続することが困難となるように構成した遊技機を提供することを課題とする。
【課題を解決するための手段】
【０００６】
請求項１記載の遊技機は、遊技を司る主基板と、該主基板における判定用乱数の抽出契機となる始動スイッチと、を備えた遊技機において、前記始動スイッチに前記検出信号を前記中継基板へと出力する信号出力コネクタを、前記主基板に前記信号出力コネクタからの出力信号が入力される信号入力コネクタを、各々備え、前記信号出力コネクタの抜き差しを規制する規制手段１及び前記信号入力コネクタの抜き差しを規制する規制手段２を設け、前記規制手段１又は前記規制手段２を破壊することによって前記信号出力コネクタ又は前記信号入力コネクタの抜き差しを可能とすることを特徴とする。
【０００７】
ここで、始動スイッチとは、弾球遊技機でいうところの特別図柄始動スイッチや普通図柄作動スイッチなどのスイッチを指し、回胴遊技機でいうところの始動レバーなどのスイッチを指し、主基板における判定用乱数の抽出契機となるスイッチであれば名称や機能が異なるスイッチであっても何ら差し支えない。
【０００８】
請求項２記載の遊技機は、請求項１記載の遊技機において、前記始動スイッチから前記検出信号が入力される信号中継コネクタ１及び前記始動スイッチから前記検出信号を変化させることなく前記信号入力コネクタへと出力する信号中継コネクタ２を備える中継基板を設置し、前記信号中継コネクタ１の抜き差しを規制する規制手段３を設け、前記前記規制手段３を破壊することによって前記信号中継コネクタ１の抜き差しを可能とすることを特徴とする。
【０００９】
請求項３記載の遊技機は、請求項２記載の遊技機において、前記信号中継コネクタ２の抜き差しを規制する規制手段４を設け、前記前記規制手段４を破壊することによって前記信号中継コネクタ２の抜き差しを可能とすることを特徴とする。
【００１０】
ここで、コネクタの抜き差しを規制手段１、２、３及び４は、コネクタの抜き差しをする際に障害となるものであれば良く、コネクタの抜き差しする際に最低限必要な空間を埋める部材などの直接的なものであっても、コネクタを抜き差しする際に取り外す必要のある部材を取り外せなくする部材などの間接的なものであっても何ら差し支えない。
【発明の効果】
【００１１】
請求項１記載の発明によれば、始動スイッチの信号出力コネクタを規制手段１によって、主基板の信号入力コネクタを規制手段２によって、各々抜き差しできない状態とし、差された（接続された）状態時に信号出力コネクタを抜くためには規制手段１を、信号入力コネクタを抜くためには規制手段２を破壊する必要がある。
そのため、始動スイッチと主基板とが直接接続されている場合には配線の両端にあるコネクタを上記したような構成とすることで、不正基板（所謂、ぶら下がり基板）を接続が困難となるという効果を奏すると共に、仮に接続されたとしても痕跡が残るため、容易に発見が可能となるという効果も奏する。
【００１２】
請求項２記載の発明によれば、始動スイッチと主基板との間に中継基板を設け、始動スイッチからの検出信号が入力される信号中継コネクタ１を規制手段３によって抜き差しできない状態とし、差された（接続された）状態時に信号中継コネクタ１を抜くためには規制手段３を破壊する必要がある。
そのため、配線の両端にあるコネクタを上記したような構成とすることで、始動スイッチと中継基板との間に不正基板を接続が困難となるという効果を奏すると共に、仮に接続されたとしても痕跡が残るため、容易に発見が可能となるという効果も奏する。 
【００１３】
請求項３記載の発明によれば、信号中継コネクタ２を規制手段４によって抜き差しできない状態とし、差された（接続された）状態時に信号中継コネクタ２を抜くためには規制手段４を破壊する必要がある。
そのため、始動スイッチと主基板の間の情報伝達経路にあたる配線のコネクタの全てを上記したような構成とすることで、不正基板を接続が困難となるという効果を奏すると共に、仮に接続されたとしても痕跡が残るため、容易に発見が可能となるという効果も奏する。 
【発明を実施するための最良の形態】
【００１４】
以下に本発明の好適な実施形態について図面を参照して説明する。
【実施例１】
【００１５】
遊技機には弾球遊技機、回胴遊技機等があるが、その一例として弾球遊技機について説明する。
まず、図１に遊技機１の正面図、図２に遊技機１の裏面図、図３に電気ブロック図を示し、詳細に説明する。ここで、図３の電気ブロック図には中継基板は省略しているが、各所に中継基板が配置されている。
【００１６】
図１に示す通り、パチンコ機１は、大きく長方形の外枠２と、前面枠３とからなり、外枠の左隣りにＣＲプリペイドカードユニット（以下、ＣＲユニットという）５８を設ける。
前面枠３は、前面枠３の下方には球貯留部を備えた上皿４を設け、賞球或いは貸し球のための図示しない排出口と球抜きボタンとを備える。
【００１７】
上皿４と下皿５とは連結し、上皿４が遊技球で満杯状態になれば下皿５に遊技球を誘導するよう構成する。
下皿５の右側には発射ハンドル６を取り付ける。
この発射ハンドル６は、発射停止スイッチ６ａ、操作検出器６ｂ、タッチセンサ６ｃ、回動リング６ｄとを備えている（図３参照）。
【００１８】
前面枠３の適宜な位置に、遊技に関し押し下げ操作を行う遊技ボタン７を備える。
遊技盤８の外形はほぼ矩形で、その前面には図示しない外レールと内レール９とによって囲まれた略円形の遊技領域１０を形成する。
タッチセンサ６ｃに手が触れることを条件に、回動リング６ｄを時計方向に回動すると、操作検出器６ｂが検出した操作量（回転角度又は抵抗値）に応じた発射強度で遊技球を遊技盤８上に発射する。
尚、図示されていない遊技釘を遊技盤８面上に形成される遊技領域１０の各所に植設する。
【００１９】
遊技盤８には、遊技領域１０の中央部に、演出図柄を表示するＬＣＤパネルユニット１１ａ及びＬＣＤパネルユニット１１ａの表示を制御する演出制御装置５３から構成するキャラクタ表示装置１１、特別図柄を表示する７セグメントＬＥＤから構成する特別図柄表示装置１２、普通図柄を表示する７セグメントＬＥＤから構成する普通図柄表示装置１３、複数のＬＥＤを備える特別図柄保留表示器１４、複数のＬＥＤを備えた普通図柄保留表示器１５、液晶枠飾り１６を配置する。
【００２０】
本実施形態では、特別図柄表示装置１２及び普通図柄表示装置１３は主制御装置５０により直接制御する構成としている（図３参照）。
液晶枠飾り１６の左側に普通図柄作動スイッチ１７ａを備える普通図柄始動ゲート１７を設け、液晶枠飾り１６の右側には左右のバランスを良好にするためにダミーが配置されている。
【００２１】
普通図柄作動スイッチ１７ａによる遊技球の検出により普通図柄判定乱数を抽出して、普通図柄の当否判定を行い、普通図柄表示装置１３の普通図柄が変動開始して所定時間後に停止表示し、停止時の表示態様によっては普通電役ソレノイド１８ｂによる羽根部材１８ｃの開放が実行される。
本実施形態では、普通図柄始動ゲート１７の普通図柄作動スイッチ１７ａによって遊技球が検出されても、遊技者に賞球を排出しない構成としている。
【００２２】
液晶枠飾り１６の下部には特別図柄始動スイッチ１８ａを備える普通電動役物１８を設ける。
特別図柄始動スイッチ１８ａによる遊技球の検出により特別図柄判定乱数を抽出して、特別図柄の当否判定を行い、特別図柄表示装置１２の特別図柄を変動開始して所定時間後に停止表示し、停止時の表示態様によっては大入賞口ソレノイド１９ｂによる蓋部材１９ｃの開放が実行される。
【００２３】
普通電動役物１８は、普通電役ソレノイド１８ｂによる羽根部材１８ｃの開閉によって入賞が容易な状態と入賞が困難な状態とに変化するように構成されている。
本実施形態では、普通電動役物１８の特別図柄始動スイッチ１８ａによって遊技球が検出されると、遊技者に３個の賞球を排出する構成としている。
普通電動役物１８の下方に大入賞口１９を設ける。
【００２４】
大入賞口１９に入球した全ての遊技球を検出するカウントスイッチ１９ａを設ける。
大入賞口１９は、大入賞口ソレノイド１９ｂによる蓋部材１９ｃの開閉によって入賞可能な状態と入賞不可能な状態とに変化するように構成され、蓋部材１９ｃが閉じた状態では、大入賞口１９の前面を遊技球が通過する構成となっている。
【００２５】
一方、蓋部材１９ｃが開いた入賞可能な状態では、蓋部材１９ｃは大入賞口１９の下端にて遊技盤８面上から突出し、遊技球が蓋部材１９ｃによって大入賞口１９内に導かれる。
本実施形態では、大入賞口１９のカウントスイッチ１９ａによって遊技球が検出されると、遊技者に１５個の賞球を排出する構成としている。
【００２６】
キャラクタ表示装置１１は特別図柄表示装置１２による特別図柄の変動表示に同期して、演出図柄を変動表示し、遊技者に大当たり遊技状態に移行するかを報知する態様で停止表示する。
【００２７】
特別図柄表示装置１２上にて特別図柄が大当たりの表示態様で停止表示されると、キャラクタ表示装置１１のＬＣＤパネルユニット１１ａにて演出図柄が大当たりの表示態様で停止表示し、特別図柄表示装置１２上にて特別図柄が外れの表示態様で停止表示されると、キャラクタ表示装置１１のＬＣＤパネルユニット１１ａにて演出図柄が外れの表示態様で停止表示される。
【００２８】
遊技者は、主にキャラクタ表示装置１１のＬＣＤパネルユニット１１ａにて表示される演出図柄の表示態様を視認することで、大当たり遊技状態に移行するか否かを認識する。
遊技領域１０のうち内レール９沿いに一般入賞口スイッチ２０ａを備える一般入賞口２０を配置し、内レール９の最下部に対応する部分には、アウト穴２１を開口させている。
【００２９】
上皿４に貸し球の貸与を求めるための球貸ボタン２２ａと、カードの排出を求めるための精算ボタン２２ｂと、カードの有効残高を表示する残高表示装置２２ｃを設けたＣＲ精算表示装置２２を備える。
【００３０】
パチンコ機１の電気回路を図３のブロック図を用いて説明する。
パチンコ機１の電気回路は、図示する通り、主制御装置５０、賞球制御装置５１、発射制御装置５２、演出制御装置５３、サブ統合装置５４等から構成する。
主制御装置５０は、遊技制御プログラムを記憶したＲＯＭ、演算等を行うＣＰＵ、演算等の作業領域として働くＲＡＭ等を内蔵した８ビットワンチップマイコンを中心とした論理演算回路として構成し、この他、各装置又は各種スイッチ類及び各種アクチュエータ類との入出力を行うための外部入出力回路も設ける。
【００３１】
主制御装置５０の入力側に、普通図柄作動スイッチ１７ａ、特別図柄始動スイッチ１８ａ、カウントスイッチ１９ａ、一般入賞口スイッチ２０ａ等を接続する。
主制御装置５０の出力側には、普通電役ソレノイド１８ｂ、大入賞口ソレノイド１９ｂ、特別図柄表示装置１２、普通図柄表示装置１３、特別図柄保留表示器１４、普通図柄保留表示器１５、外部接続端子装置５５等を接続する。
【００３２】
図２に示す通り、パチンコ機１の遊技盤の裏面側に主制御装置５０、演出制御装置５３、サブ統合装置５４が直接又は間接的に配置され、パチンコ機１の枠の裏面側に賞球制御装置５１、発射制御装置５２、電源基板５６を配置する。
電源基板５６は電源中継基板５７に接続する。
電源中継基板５７に電源コード６０、ＣＲユニット５８に電源コード６１が接続する。
【００３３】
特別図柄始動スイッチ１８ａは普通電動役物１８内、普通図柄作動スイッチ１７ａは普通図柄始動ゲート１７内、一般入賞口スイッチ２０ａは一般入賞口２０内、カウントスイッチ１９ａは大入賞口１９内、に各々取り付ける。
普通図柄作動スイッチ１７ａは普通図柄始動ゲート１７を遊技球が通過したことを、特別図柄始動スイッチ１８ａは普通電動役物１８に遊技球が入球したことを、カウントスイッチ１９ａは大入賞口１９内に入賞する全ての遊技球を、一般入賞口スイッチ２０ａは一般入賞口２０内に遊技球が入球したことを、各々検出する。
【００３４】
主制御装置５０の出力側に接続された普通電役ソレノイド１８ｂは、普通電動役物１８内に取り付けられ、普通電動役物１８の羽部部材１８ｃを開閉するために用いられる。
大入賞口ソレノイド１９ｂは、大入賞口１９内に取り付けられ、蓋部材１９ｃを開閉するために用いられる。
【００３５】
特別図柄表示装置１２は大入賞口１９の蓋部材１９ｃを開放することとなる大当たりの当否を示す特別図柄を表示し、普通図柄表示装置１３は普通電動役物１８の羽根部材１８ｃを開閉することとなる当たりの当否を示す普通図柄を表示する。
特別図柄保留表示器１４及び普通図柄保留表示器１５はそれぞれ普通図柄の保留数、特別図柄の保留数を表示する。
【００３６】
外部接続端子装置５５は、主制御装置５０及び賞球制御装置５１から外部（ホールコンピュータ）にデータを出力する。
賞球制御装置５１は、出力側にＣＲユニット５８、賞球モータ５１ａ及び外部接続端子装置５５を接続し、入力側に主制御装置５０、ＣＲユニット５８及び賞球払い出しスイッチ５１ｂを接続する。
【００３７】
主制御装置５０と賞球制御装置５１、ＣＲユニット５８と賞球制御装置５１は双方向通信可能に接続している。
賞球制御装置５１は、特別図柄始動スイッチ１８ａ、一般入賞口スイッチ２０ａ又はカウントスイッチ１９ａによる遊技球の検出があった場合に、主制御装置５０から送信される賞球コマンドに従って賞球モータ５１ａを駆動制御して、賞球として設定された遊技球数を遊技者に払い出す。
【００３８】
また、ＣＲ精算表示装置２２の球貸ボタン２２ａの操作があった場合に、ＣＲユニット５８から送信される球貸要求コマンドに従って賞球モータ５１ａを駆動制御して、貸し球として設定された遊技球数を遊技者に払い出す。
賞球制御装置５１は賞球払い出しスイッチ５１ｂによる遊技球の検出によって、賞球として設定された遊技球数を払い出したか否かを判定しているが、賞球払い出しスイッチ５１ｂによる遊技球の検出を主制御装置５０に入力する構成としても良いし、主制御装置５０及び賞球制御装置５１の双方に入力する構成としても良い。
【００３９】
発射制御装置５２は、出力側に発射モータ２３及びタッチランプ６ｅを接続し、入力側に発射停止スイッチ６ａ、操作検出器６ｂ及びタッチセンサ６ｃを接続する。
発射モータ２３を駆動制御すると共に、遊技者が操作する回動リング６ｄの操作量に応じて発射強度を変化させる。
遊技者が発射停止スイッチ６ａを押下したとき発射を停止させ、回動リング６ｄの近傍に設けられたタッチスイッチ６ｄがオン状態のときタッチランプ６ｅを点灯させる。
【００４０】
キャラクタ表示装置１１は、ＴＦＴ基板、ＣＦ基板、画像信号に応じた所定の電圧を印加するコントローラ等からなる液晶パネル、及びバックライト等から構成するＬＣＤパネルユニット１１ａと、ＬＣＤパネルユニット１１ａを駆動制御する演出制御装置５３とから構成される。
演出制御装置５３は、３２ビットワンチップマイコンを中心とした論理演算回路として構成する。
【００４１】
サブ統合装置５４は、主制御装置５０から送信される演出コマンドを受信し、演出制御装置５３に詳細コマンドを送り、その詳細コマンドに基づいて演出制御装置５３がＬＣＤパネルユニット１１ａを制御する。
また、サブ統合装置５４は賞球及び貸し球の払い出し表示、当たり表示、球不足表示及びエラー表示等を行う各種ランプ２４、各種ＬＥＤ２５等を点灯報知させ、さらに、スピーカ２６を駆動制御するものである。
【００４２】
遊技ボタン７の検出信号が入力され、何らかの演出を決定して演出制御装置５３に信号を送信すると共に、演出制御装置５３によるＬＣＤパネルユニット１１ａの制御に同期させて各種ランプ２４、各種ＬＥＤ２５、スピーカ２６などを駆動させる。
主制御装置５０から外部接続端子装置５５及びサブ統合装置５４への各種コマンドの送信は、主制御装置５０からのみ送信する一方向通信の回路で構成する。
この一方向通信の回路は主制御装置５０の出力側に設けられ、外部接続端子装置５５及びサブ統合装置５４から何らかのコマンドが入力されても、主制御装置５０に何ら影響を与えることはない。
【００４３】
主制御装置５０、賞球制御装置５１、発射制御装置５２、演出制御装置５３、サブ統合装置５４及び電源基板５６で行われる処理は、従来の弾球遊技機における処理と同様であるため、ここでの説明を割愛する。
【００４４】
ここで、主制御基板５０による判定用乱数の抽出契機となる始動スイッチと、主制御装置の間の情報伝達経路に関する電機ブロック図を図４に示し、詳細に説明する。
【００４５】
始動スイッチに該当する普通図柄作動スイッチ１７ａ又は特別図柄始動スイッチ１８ａは、煩雑な配線の取り回しを軽減するために主制御装置５０との間に中継基板５９を備える構成としている。
普通図柄作動スイッチ１７ａ及び特別図柄始動スイッチ１８ａは、先にも述べたように遊技盤面上に配置された役物に配置され、主制御装置５０及び中継基板５９は遊技盤の背面側に配置されている。
【００４６】
このタイプの遊技機では、大量の遊技球を獲得可能な状況（所謂、特別遊技状態）が限られており、その状況以外のタイミングで大量の遊技球を獲得すれば、不正行為を行っていることが明らかであるため、大量の遊技球を獲得可能な状況とすることを狙った不正行為が行われることが想定される。
その際、考えられるぶら下がり基板などの不正基板を接続する場合、普通図柄作動スイッチ１７ａ−中継基板５９間、特別図柄始動スイッチ１８ａ−中継基板５９間、中継基板５９−主制御装置５０間のいずれかに接続するのが効果的である。
【００４７】
そのため、図４の（ａ）に示すように、普通図柄作動スイッチ１７ａと中継基板５９との間、又は／及び特別図柄始動スイッチ１８ａと中継基板５９との間に不正基板５９’を接続する場合、配線８５又は／及び配線８６の中継基板５９側のコネクタ８５ｂ又は／及び８６ｂを抜き、コネクタ８５ｂ又は／及び８６ｂを不正基板５９’の入力コネクタに接続し、不正基板５９’の出力コネクタから配線８７’のコネクタを中継基板５９の入力コネクタに接続する。
ここでは、配線８５又は／及び配線８６の中継基板５９側のコネクタ８５ｂ又は／及びコネクタ８６ｂを外すように図示しているが、配線８５又は／及び配線８６の普通図柄作動スイッチ１７ａ又は／及び特別図柄始動スイッチ１８ａ側のコネクタ８５ａ又は／及び８６ａを外す場合も想定できる。
【００４８】
また、普通図柄作動スイッチ１７ａと中継基板５９との間、又は／及び特別図柄始動スイッチ１８ａと中継基板５９との間に不正基板５９’接続しない場合、図４の（ｂ）に示すように中継基板５９と主制御装置５０との間の配線８７を抜き、コネクタ８７ｂを不正基板５９’の入力コネクタに接続し、不正基板５９’の出力コネクタから配線８７’のコネクタを主制御装置５０の入力コネクタに接続することもできる。
ここでは、配線８７の主制御装置５０側のコネクタ８７ｂを外すように図示しているが、配線８７の中継基板５９側のコネクタ８７ａを外す場合も想定できる。
【００４９】
従って、普通図柄作動スイッチ１７ａ又は／及び特別図柄始動スイッチ１８ａ−中継基板５９間、中継基板５９−主制御装置５０間のいずれか一方の配線のコネクタの抜き差しを規制するだけでは意味合いが小さく、不正対策を施していない箇所で不正を行われることとなる。
そこで、図４の（ｃ）に示すように、普通図柄作動スイッチ１７ａ−中継基板５９間、特別図柄始動スイッチ１８ａ−中継基板５９間、中継基板５９−主制御装置５０間、の全ての情報伝達経路上の配線のコネクタの抜き差しを規制することが望ましく、他の基板が途中に配置されていた場合を考えて始動操作スイッチ２０１ａから主制御基板２００までの間の配線のコネクタの抜き差しを規制することが好適である。
【００５０】
主制御装置１５０が収納される基板ケースには、一般的に４回の封印／開放が可能な構成としているため、コネクタの抜き差しを規制する際にも、同数程度の抜き差しが可能な規制部材の構成とすることが望ましい。
【００５１】
続いて、図５に普通電動役物１８の斜視図を、図６に普通電動役物１８の六面図を、図７に普通電動役物のＡ−Ａ断面図を示し、特別図柄始動スイッチ１８ａに接続される配線８６のコネクタ８６ａの抜き差しを規制する方法について詳細に説明する。
尚、普通図柄作動スイッチ１７ａに関する構造も、設置されている構造体が普通図柄作動ゲート１７であるために形状的な差異はあるが、規制部材に関する役割は同様であるため、ここでの説明は割愛する。
【００５２】
普通電動役物１８は、特別図柄スイッチ１８ａをコネクタ側がら挿入する点、及び規制部材を備える点に特徴があり、その他の構造に関しては一般的な普通電動役物と大差ないため、説明を割愛する。
図示した普通電動役物１８の背面には、特別図柄始動スイッチ１８ａが挿入可能な図示してない空間部（図７の特別図柄始動スイッチ１８ａがある位置）を備え、その空間部の入口に特別図柄始動スイッチ１８ａのコネクタ側の端部をあてがって、前方（普通電動役物１８の構造体側）に力を加えて係止爪１８ｄを弾性変形させて挿入することで、特別図柄始動スイッチ１８ａが普通電動役物１８に収容される構造となっている。
【００５３】
この場合、特別図柄始動スイッチ１８ａに接続される配線８６のコネクタ８６ａを抜くためには、係止爪１８ｄを弾性変形させて特別図柄始動口スイッチ１８ａが移動可能とした後に普通電動役物１８の空間部から特別図柄始動スイッチ１８ａを抜き、その後にコネクタ８６ａを抜くこととなる。
その際、コネクタの抜き差しを規制する規制部材を設ける方法には、大別して直接的な方法と間接的な方法がある。
【００５４】
直接的な方法とは特別図柄始動スイッチ１８ａに接続される配線８６のコネクタ８６ａを摘んで引っ張っても抜けないようなコネクタの構成又はコネクタ近傍の構成にする方法であり、間接的な方法とは特別図柄始動スイッチ１８ａを普通電動役物１８の空間部から抜けないような普通電動役物１８の構成にする方法である。
ここでは、いずれの方法を採用しても問題なく、コネクタ８６ａの抜き差しを規制するという役目を果たすため、規制部材８０（規制手段）の技術的な範囲に含まれるものとし、間接的な規制をする場合を例示して説明する。
【００５５】
普通電動役物１８の特別図柄始動スイッチ１８ａを収容するための空間部の入口近傍に、空間部の入口の大きさを特別図柄始動スイッチ１８ａを抜き差しできない程度の大きさとするための係止爪１８ｄと規制部材８０を設けている。
係止爪１８ｄは弾性変形可能な部材であって普通電動役物１８の構造体と一部の部材と一体形成されており、規制部材８０は規制部８１、封印部８２及び封印具８３（所謂、ワンウェイネジ又は破断ネジ）により構成され、普通電動役物１８の構造体に止着される別部材となっている。
【００５６】
封印部８２は規制部材８０に複数個設けられており、特別図柄始動スイッチ１８ａを抜き差しできない状態（特別図柄始動スイッチ１８ａに接続される配線８６のコネクタ８６ａを抜き差しできない状態に）に規制するためには、いずれか１つの封印部８２を普通電動役物１８の構造体に封印具８３を用いて止着する。
普通電動役物１８の空間部に特別図柄始動スイッチ１８ａを挿入し、封印部材８０の封印部８３と普通電動役物１８の構造体とを封印具８３を用いて止着（封印）した後に、コネクタ８６ａを抜き差しするために特別図柄始動スイッチ１８ａを普通電動役物１８の空間部から抜く場合、規制部８１が退路の一部を占めているため、封印部材８０又は普通電動役物１８の構造体（特に突起８４）を破壊することが必要となる。
【００５７】
普通電動役物１８の特別図柄始動スイッチ１８ａを収容するための空間部の入口近傍（規制部材８０の近傍）には突起８４を備えられ、普通電動役物１８と規制部材８０とを止着したのちに、止着した封印部８２（又は封印具８３）を中心とした回転を規制する構成となっている。
普通電動役物１８の下方には、普通電動役物１８の空間部に特別電動役物１８ａを挿入する際に、特別図柄始動スイッチ１８ａから主制御装置５０（特別図柄始動スイッチ１８ａと主制御装置５０との間に中継基板５９を介している場合には中継基板５９）へと延びる配線８６を通すためのスリット１８ｅを備えている。
【００５８】
上記構成とすることで、規制部材８０をいずれか１つの封印部８２を普通電動役物１８の構造体に封印具８３を用いて止着しても、規制部材８０自体が止着した封印部８２を中心とした回転が可能な構成では、特別図柄始動スイッチ１８ａの抜き差しを規制する役割を果たせなくなる場合も考えられるが、突起８４を備えることで規制部材８０自体が止着した封印部８２を中心とした回転が不可能な構成となるため、規制部材８０又は普通電動役物１８の構造体（特に突起８４）を破損させることなく特別図柄始動スイッチ１８ａを抜き差しすることができない環境とすることができる。
【００５９】
また、遊技施設の職員などによる点検によってコネクタの接触不良などの故障が発見された場合には、封印されている規制部材８０の封印部８２を破壊することで、容易に特別図柄始動スイッチ１８ａのコネクタを抜き差しすることが可能となり、接触不良等の故障が解消されたことを確認した後に、規制部材８０の破壊されていない封印部８２と普通電動役物１８の構造体とを封印具８３を用いて再度封印することができる。
【００６０】
ここでは、規制部材８０に設けられる封印部材８２の数を４個としているが、この限りではなく、単数であっても何ら差し支えないが、少なくとも複数ある状態が好適である。
【００６１】
また、普通電動役物１８の空間部に特別図柄始動スイッチ１８ａを挿入する際に、配線８６をスリット１８ｅを通すことで、配線８６が特別図柄始動スイッチ１８ａと普通電動役物１８の構造体とに挟み込まれることを防止することができ、配線８６を挟み込むことにより生じるコネクタ８６ａの接触不良や配線の断線等の故障の発生する可能性を極力低く抑えることができる。
【００６２】
続いて、図８に主制御装置５０を収納する基板ケース９０の斜視図を、図９に基板ケース９０の分解斜視図を示し、主制御装置５０を収納する基板ケース９０について詳細に説明する。
【００６３】
基板ケース９０は、図８及び図９に示すように、パチンコ機１（遊技盤８）の裏面に取り付けられる台板９１と、前記台板９１とほぼ同じ大きさからなり台板９１に取り付けられる箱状のカバー体９２とからなり、台板９１とカバー体９２とで主制御装置５０を覆うように構成されている。
【００６４】
台板９１は主制御装置５０に合致する縦長長方形の透光性合成樹脂板９１ａからなり、透光性合成樹脂板９１ａの上下両側端縁の左端には、台板９１とカバー体９２を接続するための先端が矢じり型となっている接続板９１ｂが備えられている。
同じく透光性合成樹脂板９１ａには、複数（ここでは４個）の封印部材（規制部材）９３ａが設けられている。
該複数の封印部材９３ａは、後述するカバー体９２に設けられた複数（ここでは４個）の封印部材（規制部材）９３ｂと各々互いに嵌合可能に形成され、それぞれ１対の封印部材（規制部材）９３を形成する。
【００６５】
主制御装置５０は周知のように縦長長方形をなすプリント配線基板からなり、その上面に各電子部品５０ａが関連付けられて配置されている。
主制御装置５０の角部には後述するカバー体９２の突起部９２ｃを差し込むための止着孔５０ｂと、主制御装置５０をカバー体９２の止着孔９２ｄに止着するための止着孔５０ｃとが貫設されている。
また、主制御装置５０の一側には複数（ここでは５個）の入出力用コネクタ５０ｄが列設されている。
【００６６】
ここで、入出力用コネクタ５０ｄとは、文字通り入出力用のコネクタ、入力専用のコネクタ又は出力専用のコネクタを含むものであり、その中の入力専用コネクタに特別図柄始動スイッチ１８ａからの情報が中継基板５９を経由し、配線８７が有するコネクタ８７ｂが接続されている。
カバー体９２は透光性の合成樹脂材からなり、前述した複数の円柱状の封印部材９３ｂが備えられ、台板９１の透光性合成樹脂板９１ａに対応した形状をなす表板９２ａの上下両側端縁左端に、前記接続板９１ｂを挿入するための差し込み部９２ｂを設けている。
【００６７】
また、主制御装置５０をカバー体９２に止着した際の各種入出力用コネクタ５０ｄに対応する位置に段部９２ｆを設け、段部にコネクタカバー９４が止着される開口９２ｅが方形に開設され、各コネクタには個々に独立したコネクタカバー９４が被着される構成となっている。
【００６８】
開口９２ｅは、対応するコネクタの形状に合わせた形状及び大きさとなっており、対応するコネクタのハウジングよりも大きくし、且つ、カバー体９２の段部９２ｆと主制御装置５０との距離を主制御装置５０の入出力用コネクタ５０ｄの高さ、及び各種配線のコネクタのハウジングよりもコネクタカバー９４の厚み程度大きくして構成することで、開口９２ｅを介して各種配線のコネクタを主制御装置５０の入出力用コネクタ５０ｄに接続する際の接続が容易となり、また種々の形状をしたコネクタを差し込むことが可能となっている。
【００６９】
コネクタカバー９４は、弾性変形可能な部材であって、カバー体９２と同一の透光性の合成樹脂材により構成されている。
カバー体９２の開口部９２ｅへ止着する際に開口９２ｅにコネクタカバー９４の係止爪９４ａをあてがって、下方（カバー体９２側）に力を加えて係止爪９４ａを弾性変形させて挿入することで、カバー体９２にコネクタカバー９４が係止される構造となっている。
【００７０】
また、各コネクタカバー９４には、対応するコネクタの配線に応じた幅を有するスリット９４ｂ及び配線孔９４ｃが設けられている。
コネクタを主制御装置５０の入力用コネクタ５０ｄ、出力用コネクタ５０ｅ又は入出力用コネクタ５０ｄの接続するべきコネクタに接続した後、接続したコネクタの配線をコネクタカバー９４のスリット９４ｂを経由して配線孔９４ｃに到達させて、コネクタカバー９４をカバー体９２の開口９２ｅに押し込むことで、コネクタをカバー体９２の外側（主制御装置５０の反対側）から外せないようになっている。
【００７１】
そのため、コネクタの接続が適切になされていることを確認した上で、コネクタカバー９４を止着するようにすることが好ましい。
ここでは、図８及び図９に示したように、カバー体９２の開口部９２ｅをコネクタ毎に設ける構成としており、開口部９２ｅに対応してコネクタカバー９４を個々に設けるようにしているが、コネクタカバー９４の構成はその限りではなく、後述する中継基板５９を収納する基板ケース１００のように複数のコネクタに対応する開口部１０２ｅと、複数のコネクタに対応した配線孔１０４ｃを備えるコネクタカバー１０４のように構成しても何ら差し支えない。
【００７２】
尚、コネクタ毎に開口部９２ｅを設ける構成の方が部品点数が多くなるものの、異なる形状のコネクタを接続するような場合にはスリット９４ｂによる隙間ができにくくなるので、本来の目的を果たす上では好適である。
【００７３】
基板ケース９０を構成する各部材を上記構成とすることで、主制御装置５０を収納する基板ケース９０は、まず前記主制御装置５０をカバー体９２の突起部９２ｃ及び止着孔９２ｄを用いて固着する。
次に前記主制御装置５０の裏面を覆うようにしてカバー体９２に台座９１を被せることで、前記台板９１の封印部材９３ａと前記カバー体９２の封印部材９３ｂが互いに嵌合され、封印部材９３ｂの上部から抜脱不能な固定ネジ９３ｃ（所謂、ワンウェイネジ又は破断ネジ）を螺締することによって、台板９１にカバー体９２を固定する。
これにより主制御装置５０が基板ケース９１内に密封される。
【００７４】
そのため、ぶら下がり基板等の不正基板を接続するような不正行為を行う際には、特別図柄始動スイッチ１８ａからの情報が（中継基板５９を経由して）入力される入力用コネクタ５０ｄに接続される配線８７のコネクタ８７ｂを抜かねばならず、固定ネジが外せないことから不正行為を行うには封印部材９３（封印部材９３ａ又は９３ｂ、若しくは両方）を破壊することになり、その痕跡が明らかに残る。
【００７５】
また、破壊した痕跡を隠蔽することも極めて困難であるため、不正行為をわれても容易に発見することが可能となる。
しかも、封印部材９３（封印部材９３ａ又は９３ｂ、若しくは両方）を破壊しても、コネクタを抜くためにはコネクタカバー９４をカバー体９２から外す必要があり、コネクタカバー９４をカバー体９２から外すためにはカバー体９２の内側からコネクタカバー９４の係止爪９４ａを弾性変形させる必要があり、係止爪９４ａを弾性変形させるためにはカバー体９２から主制御装置５０を外す必要がある。
【００７６】
実際の動きとしては台板９１とカバー体９２との封印を解き（止着された封印部材を破壊し）、カバー体９２から主制御装置５０を外し、コネクタカバー９４の係止爪９４ａを弾性変形させてコネクタカバー９４を外し、入力用コネクタ５０ｄに接続される配線８７のコネクタ８７ｂを抜くため、ぶら下がり基板等の不正基板を接続するような不正行為が完了するまでの時間を長くすることで、不正行為の準備段階で発見する可能性を高めることができ、不正行為を未然に防ぐこともできる。
【００７７】
次に、図１０に中継基板５９を収納する基板ケース１００の斜視図を、図１１に中継基板５９を収納する基板ケース１００の分解斜視図を示し、中継基板５９を収納する基板ケース１００について詳細に説明する。
【００７８】
基板ケース１００は、図１０及び図１１に示すように、パチンコ機１（遊技盤８）の裏面に取り付けられる台板１０１と、前記台板１０１とほぼ同じ大きさからなり台板１０１に取り付けられる箱状のカバー体１０２とからなり、台板１０１とカバー体１０２とで中継基板５９を覆うように構成されている。
台板１０１は中継基板５９に合致する縦長長方形の透光性合成樹脂板１０１ａからなり、透光性合成樹脂板１０１ａの上下両側端縁の左端には、台板１０１とカバー体１０２を接続するための先端が矢じり型となっている接続板１０１ｂが備えられている。
【００７９】
同じく透光性合成樹脂板１０１ａには、複数（ここでは４個）の封印部材（規制部材）１０３ａが設けられている。
該複数の封印部材１０３ａは、後述するカバー体１０２に設けられた複数（ここでは４個）の封印部材（規制部材）１０３ｂと各々互いに嵌合可能に形成され、それぞれ１対の封印部材（規制部材）１０３を形成する。
【００８０】
中継基板５９は周知のように縦長長方形をなすプリント配線基板からなり、その上面に入力用コネクタ５９ｄ及び出力用コネクタ５９ｅを備えており、コネクタ以外の電子部品は配置されていない。
中継基板５９の角部には後述するカバー体１０２の突起部１０２ｃを差し込むための止着孔５９ｂと、中継基板５９をカバー体１０２の止着孔１０２ｄに止着するための止着孔５９ｃとが貫設されている。
【００８１】
また、中継基板５９の一側には入力用コネクタ５９ｄ及び出力用コネクタ５９ｅが列設されている。
ここで、中継基板５９に２個備えている入力用コネクタ５９ｄは、普通図柄作動スイッチ１７ａからの情報が配線８５が有するコネクタ８５ａ及び特別図柄始動スイッチ１８ａからの情報が配線８６が有するコネクタ８６ａが接続されている。
【００８２】
カバー体１０２は透光性の合成樹脂材からなり、前述した複数の円柱状の封印部材１０３ｂが備えられ、台板１０１の透光性合成樹脂板１０１ａに対応した形状をなす表板１０２ａの上下両側端縁左端に、前記接続板１０１ｂを挿入するための差し込み部１０２ｂを設けている。
【００８３】
また、中継基板５９をカバー体１０２に止着した際の各種入出力用コネクタ５０ｄに対応する位置に段部１０２ｆを設け、段部１０２ｆにコネクタカバー１０４が止着される開口１０２ｅが方形に開設され、各コネクタには個々に独立したコネクタカバー１０４が被着される構成となっている。
【００８４】
開口１０２ｅは、対応するコネクタの形状に合わせた形状及び大きさとなっており、対応するコネクタのハウジングよりも大きくし、且つ、カバー体１０２の段部と中継基板５９との距離を中継基板５９の入力用コネクタ５０ｄ、出力用コネクタ５０ｅ、入出力用コネクタ５０ｄの高さ、及び各種配線のコネクタのハウジングよりもコネクタカバー１０４の厚み程度大きくして構成することで、開口１０２ｅを介して各種配線のコネクタを中継基板５９の入力用コネクタ５０ｄ、出力用コネクタ５０ｅに接続する際の接続が容易となり、また種々の形状をしたコネクタを差し込むことが可能となっている。
【００８５】
コネクタカバー１０４は、弾性変形可能な部材であって、カバー体１０２と同一の透光性の合成樹脂材により構成されている。
カバー体１０２の開口部１０２ｅへ止着する際に開口１０２ｅにコネクタカバー１０４の係止爪１０４ａをあてがって、下方（カバー体１０２側）に力を加えて係止爪１０４ａを弾性変形させて挿入することで、カバー体１０２にコネクタカバー１０４が係止される構造となっている。
また、各コネクタカバー１０４には、対応するコネクタの配線に応じた幅を有するスリット１０４ｂ及び配線孔１０４ｃが設けられている。
【００８６】
コネクタを中継基板５９の入力用コネクタ５０ｄ、出力用コネクタ５０ｅ又は入出力用コネクタ５０ｄの接続するべきコネクタに接続した後、接続したコネクタの配線をコネクタカバー１０４のスリット１０４ｂを経由して配線孔１０４ｃに到達させて、コネクタカバー１０４をカバー体１０２の開口１０２ｅに押し込むことで、コネクタをカバー体１０２の外側（中継基板５９の反対側）から外せないようになっている。
そのため、コネクタの接続が適切になされていることを確認した上で、コネクタカバー１０４を止着するようにすることが好ましい。
【００８７】
ここでは、図１０及び図１１に示したように、カバー体１０２に複数のコネクタに対応する開口部１０２ｅと、複数のコネクタに対応した配線孔１０４ｃを備えるコネクタカバー１０４を設けるようにしているが、コネクタカバー１０４の構成はその限りではなく、前述した主制御装置５０を収納する基板ケース９０のようにカバー体９２の開口部９２ｅをコネクタ毎に設ける構成とし、開口部９２ｅに対応してコネクタカバー９４を個々に設けるように構成しても何ら差し支えない。
【００８８】
尚、複数のコネクタに対応した開口部１０２ｅと、開口部１０２ｅに対応したコネクタカバー１０４を設ける構成の方が異なる形状のコネクタを接続するような場合にはスリット１０４ｂによる隙間ができやすくなるものの、部品点数が少なくなるため、コストの削減及び作業の軽量化を図る上では好適である。
【００８９】
基板ケース１００を構成する各部材を上記構成とし、中継基板５９を収納する基板ケース１００は、まず中継基板５９をカバー体１０２の突起部１０２ｃ及び止着孔１０２ｄを用いて固着する。
次に主制御装置５０の裏面を覆うようにしてカバー体１０２に台座１０１を被せることで、前記台板１０１の封印部材１０３ａと前記カバー体１０２の封印部材１０３ｂが互いに嵌合され、封印部材１０３ｂの上部から抜脱不能な固定ネジ１０３ｃ（所謂、ワンウェイネジ又は破断ネジ）を螺締することによって、台板１０１にカバー体１０２を固定する。
【００９０】
これにより中継基板５９が基板ケース１０１内に密封される。
そのため、特別図柄始動スイッチ１８ａと中継基板５９との間にぶら下がり基板等の不正基板を接続するような不正行為を行う際には、特別図柄始動スイッチ１８ａと中継基板５９との間を接続する配線８６のコネクタ８６ａ又は８６ｂのいずれかを抜かねばならない。
配線８６のコネクタ８６ｂを抜く場合、基板ケース１００の固定ネジ１０３ｃが外せないことから、不正行為を行うには封印部材１０３を含む基板ケース１００の少なくとも一部を破壊することになり、その痕跡が明らかに残り、破壊した痕跡を隠蔽することも極めて困難であるため、不正行為をわれても容易に発見することが可能となる。
【００９１】
しかも、封印部材１０３（封印部材１０３ａ又は１０３ｂ、若しくは両方）を破壊しても、コネクタを抜くためにはコネクタカバー１０４をカバー体１０２から外す必要があり、コネクタカバー１０４をカバー体１０２から外すためにはカバー体１０２の内側からコネクタカバー１０４の係止爪１０４ａを弾性変形させる必要があり、係止爪１０４ａを弾性変形させるためにはカバー体１０２から主制御装置５０を外す必要がある。
【００９２】
実際の動きとしては台板１０１とカバー体１０２との封印を解き（止着された封印部材を破壊し）、カバー体１０２から主制御装置５０を外し、コネクタカバー１０４の係止爪１０４ａを弾性変形させてコネクタカバー１０４を外し、入力用コネクタ５０ｄに接続される配線８６のコネクタ８６ｂを抜くため、ぶら下がり基板等の不正基板を接続するような不正行為が完了するまでの時間を長くすることで、不正行為の準備段階で発見する可能性を高めることができ、不正行為を未然に防ぐこともできる。
【００９３】
続いて、基板ケース９０に収納された主制御装置５０の入出力用コネクタ５０ｄにコネクタ８７ｂを接続する際の取り付け手順について詳細に説明する。
尚、基板ケース１００に収納された中継基板の入力用コネクタ５９ｄにコネクタ８５ｂ及び８６ｂを接続する際の取り付け手段については、基板ケース９０に収納された主制御装置５０の入出力用コネクタ５０ｄにコネクタ８７ｂを接続する際の取り付け手順と同一手順であるため、ここでの説明は割愛する。
【００９４】
図１２の（ａ）に基板ケース９０の入出力用コネクタ５０ｄ及び配線８７のコネクタ８７ｂの断面図を、（ｂ）にコネクタカバー９４及び配線８７のコネクタ８７ｂの平面図を、図１３にコネクタカバー９４の取り付け手順を示す平面図及び側面図を、図１４にコネクタカバー９４の取り付け手順を示す断面図示し、中継基板５９と主制御装置５０とを接続する配線８７のコネクタ８７ｂの抜き差しを規制する方法について詳細に説明する。
【００９５】
図１２に示すように、各開口部９２ｅには合成樹脂で形成されたコネクタカバー９４が装着される（図１２（ａ）参照）。
コネクタカバー９４の周縁部と開口部９２ｅの周縁部とは互いに密着した状態で係合され、コネクタカバー９４とコネクタ８７ｂとは近接して配置されている。
また、コネクタカバー９４の上下両側端縁には先端が矢じり型のフック部９４ａ（取り外し防止部）を備えており、フック部９４ａの先端がカバー体９２の段部裏面に係止されることによって、コネクタカバー９４を基板ケース９０の外部から取り外せないような構成となっている。
【００９６】
よって、コネクタカバー９４を開口部９２ｅから取り外すためには、封印部材９３ａ、９３ｂを破断し、台板９１とカバー体９２とを開封しなければならない。
ここで、フック部９４ａはコネクタカバー９４の上下両側端縁に設ける構成に限らず、左右両側端縁等に設ける構成としても良いが、可能な限り長さの短い方の側端縁に設けることが、コネクタ近傍の隙間を小さくすることがするために望ましい。
コネクタカバー９４は正面から見ると開口部９２ｅの形状に対応して方形となっている（図１２（ｂ）参照）。
また、コネクタカバー９４の中央部には、配線８７が貫通できるように配線孔９４ｃが方形に開設されている。
【００９７】
配線孔９４ｃの開口面積（コネクタカバー９４の開口している部分において、後述するスリット９４ｂ以外の部分の面積）は、コネクタ８７ｂのハウジングにおける長手方向（コネクタ８７ｂの接続方向に対して垂直方向）の断面積（図１２（ｂ）の点線長方形で囲まれた面積）よりも小さく、配線８７の該方向の断面積よりも大きくなっている。これにより、配線孔９４ｃに配線８７を貫通させ、且つ配線孔９４ｃからコネクタ８７ｂを通過させることができないようにし、またコネクタカバー９４を開口部９２ｅから取り外さない限り、コネクタ８７ｂは入出力用コネクタ５０ｄから取り外せないようにしている。
【００９８】
ここではコネクタカバー９４の外形や配線孔９４ｃを方形としているが、方形に限るものではなく、コネクタカバー９４であれば開口部９２ｅの形状に、配線孔９４ｃであればコネクタの配線の断面に、各々対応した形状であれば方形でなくても何ら差し支えない。
さらに、コネクタカバー９４の右上部には、コネクタカバー９４を配線８７に取り付けるためのスリット９４ｂを設けている。
スリット９４ｂは、配線孔９４ｃの周縁部右側中央部からコネクタカバー９４の周縁部右上部に向かって傾斜して設けられており、そのスリット９４ｂの幅ｄ１は配線８７の短手方向の幅ｄ２より少し大きく設けられている。
また、スリット９４ｂを設けることにより不正行為が行われ得る隙間が生じるため、通路幅２１ｄは配線８７が通ることのできる程度の幅であることが好ましい。
【００９９】
ここで、スリット９４ｂを設ける位置は、コネクタカバー９４の右上部に限定されず、適宜の場所に設けても良いが、フック部９４ａが設けられていない側端縁に設けることが望ましい。
スリット９４ｂをフック部９４ａが設けられていない側端縁に設けることでスリット９４ｂの経路の長さを小さくすることができ、不正行為が行われ得る隙間を減少させることができ、あわせてコネクタカバー９４の短手方向の幅ｄ３をコネクタ８７ｂのハウジングと幅ｄ４と略同一幅とすることで、不正行為が行われ得る隙間を無くすことも可能となる。
【０１００】
図１３は、配線８７のコネクタ８７ｂを入出力用コネクタ５０ｄへ接続する手順について示した図である。まず、図１３（ａ）及び（ｂ）に示すように、コネクタカバー９４の配線孔９４ｃに配線８７が貫通している状態で、カバー体９２の開口部９２ｅを介して、配線８７のコネクタ８７ｂを入出力用コネクタ５０ｄに接続する。ここで、開口部９２ｅの開口面積は配線８７のコネクタ８７ｂの長手方向の断面積より少し大きく設けている。
【０１０１】
次に、コネクタカバー９４を開口部９２ｅの方向へ配線８７に沿って移動させる。コネクタカバー９４の配線孔９４ｃの開口面積は、配線８７の断面積よりも大きく、コネクタ８７ｂのハウジングよりも小さく開設しているため上記移動が容易となっている。続いて、コネクタカバー９４を開口部９２ｅに嵌め込み装着する（図１３（ｃ）参照）。
上述のように、コネクタカバー９４にはフック部９４ａが備えられているため、コネクタカバー９４を開口部９２ｅに嵌め込むことにより、コネクタカバー９４を基板ケース９０の外部から取り外せないロック状態となる。
【０１０２】
また、コネクタカバー９４及び配線８７のコネクタ８７ｂの取り外しについては、上記接続手順と逆の手順によって取り外しが行われる。
具体的には、コネクタカバー９４と配線８７のコネクタ８７ｂとは近接しているため（図１３（ｃ）参照）、コネクタカバー９４を開口部９２ｅに装着した状態では、配線８７のコネクタ８７ｂを入出力用コネクタ５０ｄから取り外すことはできない。
そのため、まずコネクタカバー９４を開口部９２ｅから取り外す必要があるが、コネクタカバー９４にはフック部９４ａが備えられ、開口部９２ｅからのコネクタカバー９４の取り外しを行うことができないため、封印部材９３ａ、９３ｂを破壊して基板ケース９０の密封を解除（台板９１とカバー体９２とを開封する。
【０１０３】
しかし、この状態では、カバー体９２には主制御装置５０が固着されており、コネクタカバー９４のフック部９４ａを解除することができないため、カバー体９２に固着された主制御装置５０を外すことで、基板ケース９０の内部（カバー体９２の内側）からコネクタカバー９４を取り外すことができる。
そして、コネクタカバー９４を開口部９２ｅから取り外した後は、コネクタカバー９４を開口部９２ｅから遠ざける方向へ移動させて（図１３（ｂ）参照）、配線８７のコネクタ８７ｂを入出力用コネクタ５０ｄから取り外す（図１３（ａ）参照）。
【０１０４】
続いて、コネクタカバー９４を配線８７に取り付ける手順について図１４を用いて説明する。図１４は、コネクタカバー９４及び配線８７のコネクタ８７ｂの平面図と、該平面図におけるコネクタカバー９４及び配線８７のコネクタ８７ｂの位置関係に対応したコネクタカバー９４の正面図及び配線８７のコネクタ８７ｂの断面図である。
【０１０５】
取り付ける手順として、まずコネクタカバー９４の外部にある配線８７を（図１４（ａ）参照）、コネクタカバー９４の左下部に設けられているスリット９４ｂに挿入する。ここで、スリット９４ｂの幅は配線８７の短手方向の幅よりも少し大きい程度に設けられているため、配線８７の短手方向の面を向けて該配線８７をスリット９４ｂに挿入し、スリット９４ｂに沿ってスライドさせる（図１４（ｂ）参照）。そして、配線８７を配線孔９４ｃに導き、配線８７が配線孔９４ｃに貫通した状態となる（図１４（ｃ）参照）。その後のコネクタカバー９４及び配線８７のコネクタ８７ｂを基板ケース９０に接続する手順は上記図１３に示す通りである。
【０１０６】
また、コネクタカバー９４を配線８７から取り外す手順については、上記と逆の手順によって行われる。該取り外し手順は、コネクタカバー９４が開口部９２ｅから取り外された状態で行われ（図１４（ｃ）参照）、具体的には配線孔９４ｃに貫通している配線８７をスリット９４ｂに沿ってスライドさせて、コネクタカバー９４の外部に移動させることにより、コネクタカバー９４を配線８７から取り外すことができる（図１４（ａ），（ｂ）参照）。尚、コネクタカバー９４が開口部９２ｅに装着されている状態では、コネクタカバー９４を配線８７から取り外すことはできない。
【０１０７】
以上、判定用乱数の抽出契機となる始動スイッチ（普通図柄作動ゲートに設けられる普通図柄作動スイッチ１７ａ、普通電動役物１８に設けられる特別図柄始動スイッチ１８ａ）、中継基板５９を収納する基板ケース１００及び主制御装置５０を収納する基板ケース９０を本実施例で説明したように構成することで、普通図柄作動スイッチ１７ａと中継基板５９間、特別図柄始動スイッチ１８ａと中継基板５９間及び中継基板５９と主制御装置５０間において、ぶら下がり基板などの不正基板の接続を困難とし、判定用乱数の抽出契機となる始動スイッチから主制御装置５０までの情報伝達経路上の安全を確保することが可能となる。
また、強行して不正を行った場合に、痕跡が残るように構成しているため、早期に発見することが可能となり、不正にかかる作業時間を延ばす工夫がなされているため、不正基板の取付作業中に発見する可能性も高まり、総じて被害も抑えることができる。
【実施例２】
【０１０８】
実施例１では、不正基板の接続を困難とするために、パチンコ機１における特別図柄始動スイッチ１８ａから主制御装置５０間、普通図柄作動スイッチ１７ａから主制御装置５０間の情報伝達経路にある全ての配線８５、８６、８７、のコネクタ（８５ａ及びｂ、８６ａ及びｂ、８７ａ及びｂ）に関して抜き差しを規制するように構成していた。
しかし、回胴遊技機のスロット機における始動レバーと主制御装置との間の情報伝達経路でも同様のことを行うことが可能である。
【０１０９】
そこで、スロット機１５０において、主制御基板２００による判定用乱数の抽出契機となる始動レバー２０１の操作を検出する始動操作スイッチ２０１ａと、主制御基板２００の間の情報伝達経路に関する電機ブロック図を図１５に示し、詳細に説明する。
【０１１０】
スロット機１５０では、大量の遊技球を獲得可能な状況（所謂、ＢＢ、ＲＢ、ＣＴ、ＡＴ）が限られており、その状況以外のタイミングで大量のメダルを獲得すれば、不正行為を行っていることが明らかであるため、大量のメダルを獲得可能な状況とすることを狙った不正行為が行われることが想定される。
スロット機１５０において、判定用乱数の抽出契機となる始動スイッチに該当するスイッチは始動レバー２０１の操作を検出する始動操作スイッチ２０１ａであり、煩雑な配線の取り回しを軽減するために主制御基板２００との間に中継基板２０２を備える構成としているため、ぶら下がり基板などの不正基板を接続する場合、始動操作スイッチ２０１ａ−中継基板２０２間、中継基板２０２−主制御装置２００間のいずれかに接続するのが効果的である。
【０１１１】
図１５（ａ）に示すように、始動レバー操作スイッチ２０１ａと中継基板２０２との間に不正基板２０２’を接続する場合、配線８８の中継基板２０２側のコネクタ８８ｂを抜き、コネクタ８８ｂを不正基板２０２’の入力コネクタに接続し、不正基板２０２’の出力コネクタから配線８８’のコネクタを中継基板２０２の入力コネクタに接続する。
ここでは、配線８８の中継基板２０２側のコネクタ８８ｂを外すように図示しているが、配線８８の始動レバー操作スイッチ２０１ａ側のコネクタ８８ａを外した場合も同様である。
【０１１２】
また、始動レバー操作スイッチ２０１ａと中継基板２０２との間に不正基板２０２’を接続しない場合、図１５（ｂ）に示すように、中継基板２０２と主制御基板２００との間の配線８９を抜き、コネクタ８９ｂを不正基板２０２’の入力コネクタに接続し、不正基板２０２’の出力コネクタから配線８９’のコネクタを主制御基板２００の入力コネクタに接続する。
ここでは、配線８９の主制御基板２００側のコネクタ８９ｂを外すように図示しているが、配線８９の中継基板２０２側のコネクタ８９ａを外した場合も同様である。
従って、始動操作スイッチ２０１ａ−中継基板２０２間、中継基板２０２−主制御装置２００間のいずれか一方の配線のコネクタの抜き差しを規制するだけでは意味合いが小さく、不正対策を施していない箇所で不正を行われることとなる。
【０１１３】
そこで、図１５の（ｃ）に示すように、始動操作スイッチ２０１ａ−中継基板２０２間、中継基板２０２−主制御装置２００間の配線のコネクタの抜き差しを規制することが望ましく、他の基板が途中に配置されていた場合を考えて始動操作スイッチ２０１ａから主制御基板２００までの間の配線のコネクタの抜き差しを規制することが好適である。
主制御装置１５０が収納される基板ケースには、一般的に４回の封印／開放が可能な構成としているため、コネクタの抜き差しを規制する際にも、同数程度の抜き差しが可能な規制部材の構成とすることが望ましい。
【０１１４】
始動操作スイッチ２０１ａに接続されるコネクタ８８ａの抜き差しを規制する規制部材を設ける方法に関しては、直接的な方法であっても、間接的な方法であっても何ら差し支えなく、いずれの方法を採用してもコネクタ８８ａの抜き差しを規制するという役目を果たしていれば何ら問題ない。
主制御装置２００が収容される基板ケース２０３の構造については、基本的に実施例１で述べた基板ケース９０の構造と同一何ら問題なく、中継基板２０２が収容される基板ケース２０４の構造についても、基本的に実施例１で述べた基板ケース１００の構造と同一で何ら問題ないため、実施例１での説明を援用する。
【０１１５】
以上、判定用乱数の抽出契機となる始動スイッチ（始動レバー２０１に設けられる始動操作スイッチ２０１ａ）、中継基板２０２を収納する基板ケース２０４及び主制御装置２００を収納する基板ケース２０３を本実施例で説明したように構成することで、始動操作スイッチ２０１ａと中継基板２０２間、中継基板２０２と主制御装置２００間において、ぶら下がり基板などの不正基板の接続を困難とし、判定用乱数の抽出契機となる始動スイッチから主制御装置２００までの情報伝達経路上の安全を確保することが可能となる。
また、強行して不正を行った場合に、痕跡が残るように構成しているため、早期に発見することが可能となり、不正にかかる作業時間を延ばす工夫がなされているため、不正基板の取付作業中に発見する可能性も高まり、総じて被害も抑えることができる。
【図面の簡単な説明】
【０１１６】
【図１】本発明を採用したパチンコ機１を示す正面図である。
【図２】本発明を採用したパチンコ機１を示す背面図である。
【図３】実施例１に係るパチンコ機１の電気的構成を示す電気ブロック図である。
【図４】実施例１に係るパチンコ機１の判定用乱数の抽出契機となる始動スイッチから主制御装置５０の間を示す電気ブロック図である。
【図５】実施例１に係るパチンコ機１の普通電動役物１７を示す斜視図である。
【図６】実施例１に係るパチンコ機１の普通電動役物１７を示す六面図である。
【図７】実施例１に係るパチンコ機１の普通電動役物１７のＡ−Ａ断面図である。
【図８】実施例１に係るパチンコ機１の主制御装置５０を収容する基板ケース９０を示す斜視図である。
【図９】実施例１に係るパチンコ機１の主制御装置５０を収容する基板ケース９０を示す分解斜視図である。
【図１０】実施例１に係るパチンコ機１の中継基板５９を収容する基板ケース１００を示す斜視図である。
【図１１】実施例１に係るパチンコ機１の中継基板５９を収容する基板ケース１００を示す分解斜視図である。
【図１２】実施例１に係るパチンコ機１の基板ケース９０に収容された主制御装置５０にコネクタ８７ｂを接続する手順を示す図である。
【図１３】実施例１に係るパチンコ機１の基板ケース９０に収容された主制御装置５０にコネクタ８７ｂを接続する手順を示す図である。
【図１４】実施例１に係るパチンコ機１の基板ケース９０に収容された主制御装置５０にコネクタ８７ｂを接続する手順を示す図である。
【図１５】実施例２に係るスロット機１の判定用乱数の抽出契機となる始動スイッチから主制御装置２００の間を示す電気ブロック図である。
【符号の説明】
【０１１７】
１      ：  パチンコ機            ２      ：  外枠
３      ：  前面枠                ４      ：  上皿
５      ：  下皿                  ６      ：  発射ハンドル
６ａ    ：  発射停止スイッチ      ６ｂ    ：  操作検出器
６ｃ    ：  タッチセンサ          ６ｄ    ：  回動リング
６ｅ    ：  タッチランプ          ７      ：  遊技ボタン
８      ：  遊技盤                ９      ：  内レール
１０    ：  遊技領域              １１    ：  キャラクタ表示装置
１１ａ  ：  ＬＣＤパネルユニット  １２    ：  特別図柄表示装置
１３    ：  普通図柄表示装置      １４    ：  特別図柄保留表示器
１５    ：  普通図柄保留表示器    １６    ：  液晶枠飾り
１７    ：  普通図柄始動ゲート    １７ａ  ：  普通図柄作動スイッチ
１８    ：  普通電動役物          １８ａ  ：  特別図柄始動スイッチ
１８ｂ  ：  普通電役ソレノイド    １８ｃ  ：  羽根部材
１９    ：  大入賞口              １９ａ  ：  カウントスイッチ
１９ｂ  ：  大入賞口ソレノイド    １９ｃ  ：  蓋部材
２０    ：  一般入賞口            ２０ａ  ：  一般入賞口スイッチ
２１    ：  アウト穴              ２２    ：  ＣＲ精算表示装置
２２ａ  ：  球貸ボタン            ２２ｂ  ：  精算ボタン
２２ｃ  ：  残高表示装置          ２３    ：  発射モータ
２４    ：  各種ランプ            ２５    ：  各種ＬＥＤ
２６    ：  スピーカ              ５０    ：  主制御装置
５０ａ  ：  電子部品              ５０ｂ  ：  止着孔
５０ｃ  ：  止着孔                ５０ｄ  ：  入出力用コネクタ
５１    ：  賞球制御装置          ５１ａ  ：  賞球モータ
５１ｂ  ：  賞球払い出しスイッチ  ５２    ：  発射制御装置
５３    ：  演出制御装置          ５４    ：  サブ統合装置
５５    ：  外部接続端子装置      ５６    ：  電源基板
５７    ：  電源中継基板          ５８    ：  ＣＲユニット
５９    ：  中継基板              ５９’  ：  不正基板
５９ｂ  ：  止着孔                ５９ｃ  ：  止着孔
５９ｄ  ：  入力用コネクタ        ５９ｅ  ：  出力用コネクタ
６０    ：  電源コード            ６１    ：  電源コード
８０    ：  規制部材              ８１    ：  規制部
８２    ：  封印部                ８３    ：  封印具
８４    ：  突起                  ８６    ：  配線
８６ａ  ：  コネクタ              ８６ｂ  ：  コネクタ
８７    ：  配線                  ８７ａ  ：  コネクタ
８７ｂ  ：  コネクタ              ８８    ：  配線
８８ａ  ：  コネクタ              ８８ｂ  ：  コネクタ
９０    ：  基板ケース            ９１    ：  台板
９１ａ  ：  透光性合成樹脂板      ９１ｂ  ：  接続板
９２    ：  カバー体              ９２ａ  ：  表板
９２ｂ  ：  差し込み部            ９２ｃ  ：  突起部
９２ｄ  ：  止着孔                ９２ｅ  ：  開口
９２ｆ  ：  段部                  ９３    ：  封印部材（規制部材）
９３ａ  ：  封印部材              ９３ｂ  ：  封印部材
９３ｃ  ：  固定ネジ              ９４    ：  コネクタカバー
９４ａ  ：  係止爪                ９４ｂ  ：  スリット
９４ｃ  ：  配線孔                １００  ：  基板ケース
１０１  ：  台板                  １０１ａ：  透光性合成樹脂板
１０１ｂ：  接続板                １０２  ：  カバー体
１０２ａ：  表板                  １０２ｂ：  差し込み部
１０２ｃ：  突起部                １０２ｄ：  止着孔
１０２ｅ：  開口                  １０２ｆ：  段部
１０３  ：  封印部材（規制部材）  １０３ａ：  封印部材
１０３ｂ：  封印部材              １０３ｃ：  固定ネジ
１０４  ：  コネクタカバー        １０４ａ：  係止爪
１０４ｂ：  スリット              １５０  ：  スロット機
２００  ：  主制御装置            ２０１  ：  始動レバー
２０１ａ：  始動操作スイッチ      ２０２  ：  中継基板
２０２’：  不正基板
【図１】
2008068031.tif 000003
【図２】
2008068031.tif 000004
【図３】
2008068031.tif 000005
【図４】
2008068031.tif 000006
【図５】
2008068031.tif 000007
【図６】
2008068031.tif 000008
【図７】
2008068031.tif 000009
【図８】
2008068031.tif 000010
【図９】
2008068031.tif 000011
【図１０】
2008068031.tif 000012
【図１１】
2008068031.tif 000013
【図１２】
2008068031.tif 000014
【図１３】
2008068031.tif 000015
【図１４】
2008068031.tif 000016
【図１５】
2008068031.tif 000017